(57)【要約】【課題】ラベル印字面を上側にしてラベルを発行するラベルプリンタにおいて、内巻きラベル用紙を使用した場合のラベルの台紙からの意図しない剥離の発生を防止する。【解決手段】ラベル印字面を上側にしてラベル３ｂを発行するラベルプリンタ１において、用紙収納部６に収納されている最大巻き径のラベル用紙３がプラテン９の鉛直投影面Ａの正面側に突出しないように用紙収納部６を形成する。これにより、ラベル用紙３が内巻きラベル用紙３ｃであっても、用紙経路２７の角度変化を緩やかになる。【選択図】図１
2010018037.tif 000002
【特許請求の範囲】
【請求項１】
台紙にラベルが貼付されロール状に巻かれたラベル用紙を収納する用紙収納部と、この用紙収納部よりも上方に位置するプラテンと、このプラテンに対向する印字ヘッドとが設けられた本体ハウジングを備え、前記用紙収納部に収納された前記ラベル用紙を前記プラテンにおける前記本体ハウジングの背面側へ引き出し搬送して前記印字ヘッドにより印字し、印字後の前記ラベルの印字面側が上を向くように前記ラベル用紙を搬送して前記ラベルを発行するラベルプリンタにおいて、
前記用紙収納部に収納されている最大巻き径の前記ラベル用紙が前記プラテンの鉛直投影面の正面側に突出しないように前記用紙収納部を形成したことを特徴とするラベルプリンタ。
【請求項２】
前記ラベルに印字がされた後の前記台紙を前記プラテンとで挟持して搬送する剥離ローラを回転自在に有し、前記本体ハウジングに着脱自在に設けられた剥離ローラモジュールと、
前記印字ヘッドと前記剥離ローラとの間において前記本体ハウジングに設けられ、前記台紙から前記ラベルを剥離させるラベル剥離体と、
を備えることを特徴とする請求項１記載のラベルプリンタ。
【請求項３】
前記本体ハウジングに対する前記剥離ローラモジュールの取り付けの有無を検出するセンサと、
前記センサの検出結果に応じて、動作モードをラベル剥離発行モード又はラベル連続発行モードに設定するモード設定手段と、
を備えることを特徴とする請求項２記載のラベルプリンタ。
【請求項４】
前記本体ハウジングを構成し、前記印字ヘッドが取り付けられた第一のハウジングと、
前記本体ハウジングを構成し、前記プラテンが取り付けられ、前記第一のハウジングに対して開閉自在に取り付けられた第二のハウジングと、
前記第一のハウジングに設けられた電源と、
前記第一のハウジングに設けられ前記電源により供給される電力によって動作するモータと、
前記第二のハウジングが前記第一のハウジングに対して閉じられた状態で、前記モータの駆動力を前記プラテンに伝達する伝達機構と、
を備えることを特徴とする請求項２又は３記載のラベルプリンタ。
【請求項５】
前記第二のハウジングは、前記用紙収納部の一部を形成し、前記第一のハウジングに対して着脱自在に設けられていることを特徴とする請求項４記載のラベルプリンタ。
【発明の詳細な説明】
【技術分野】
【０００１】
本発明は、例えば使用者が携帯可能な小型なラベルプリンタに関する。
【背景技術】
【０００２】
近年、例えば、宅配便の集配担当者等の便宜を図るために、使用者が携帯可能な小型のラベルプリンタであるポータブルプリンタが普及している。このようなポータブルプリンタには、例えば、使用者が腰などに装着するための装着部が設けられており、使用者の腰に装着されて使用されている（例えば、特許文献１）。このようなポータブルプリンタ（特許文献１ではラベルプリンタ）を図１０に示す。
【０００３】
図１０に示すように、ポータブルプリンタ１００は、台紙１０１にラベル１０２が貼付されそのラベル１０２の印字面が外側に向くようにロール状に巻かれた外巻きラベル用紙１０３を本体ハウジング１０９に設けられた用紙収納部１０４に収納している。そして、この外巻きラベル用紙１０３を用紙収納部１０４よりも上方に位置するプラテン１０５の背面側へ引き出し搬送してプラテン１０５に対向するサーマルヘッド１０６により印字し、その後、台紙１０１付きの状態のままのラベル１０２を本体ハウジング１０９の正面に設けられたラベル排出口１０７から発行したり、台紙１０１を剥離させた状態のラベル１０２をラベル排出口１０７から発行したりしている。
【０００４】
このようにして発行されるラベル１０２は、印字面側が上を向いた状態となる。これにより、ポータブルプリンタ１００を腰に装着した使用者は、下を見ることにより、ラベル１０２の印字内容を確認することができるようになっている。
【先行技術文献】
【特許文献】
【０００５】
【特許文献１】特開２００２−１２８０３９公報
【発明の概要】
【発明が解決しようとする課題】
【０００６】
ところで、ロール状に巻かれたラベル用紙には、上述した外巻きラベル用紙１０３以外にも、ラベル１０２の印字面が内側を向くようにロール状に巻かれた内巻きラベル用紙１０８（図１０中、仮想線で示す）がある。
【０００７】
もしも、外巻きラベル用紙１０３の使用のみを想定しているポータブルプリンタ１００に対して、内巻きラベル用紙１０８を使用した場合には、以下のような問題が生じてしまう。つまり、用紙収納部１０４に収納した内巻きラベル用紙１０８をプラテン１０５における本体ハウジング１０９の背面側に引き出し搬送すると、サーマルヘッド１０６に至る搬送経路に急激な角度変化が生じてしまい、この急激な角度変化の部位に搬送されたラベル１０２は、急激な角度変化によってその腰の強さにより台紙１０１から剥離してしまい、用紙経路中で内巻きラベル用紙１０８が詰まってしまうという問題が生じてしまう。
【０００８】
本発明の目的は、ラベル印字面を上側にしてラベルを発行するラベルプリンタにおいて、内巻きラベル用紙を使用した場合のラベルの台紙からの意図しない剥離の発生を防止することである。
【課題を解決するための手段】
【０００９】
本発明は、台紙にラベルが貼付されロール状に巻かれたラベル用紙を収納する用紙収納部と、この用紙収納部よりも上方に位置するプラテンと、このプラテンに対向する印字ヘッドとが設けられた本体ハウジングを備え、前記用紙収納部に収納された前記ラベル用紙を前記プラテンにおける前記本体ハウジングの背面側へ引き出し搬送して前記印字ヘッドにより印字し、印字後の前記ラベルの印字面側が上を向くように前記ラベル用紙を搬送して前記ラベルを発行するラベルプリンタにおいて、前記用紙収納部に収納されている最大巻き径の前記ラベル用紙が前記プラテンの鉛直投影面の正面側に突出しないように前記用紙収納部を形成した。
【発明の効果】
【００１０】
本発明によれば、用紙収納部に収納されている最大巻き径のラベル用紙がプラテンの鉛直投影面の正面側に突出しないように用紙収納部を形成したことにより、ラベル用紙が内巻きラベル用紙であっても、用紙経路の角度変化が緩やかになり、これにより、内巻きラベル用紙を使用した場合のラベルの台紙からの意図しない剥離の発生を防止することができる。
【図面の簡単な説明】
【００１１】
【図１】本発明の一実施の形態のポータブルプリンタを内巻きラベル用紙を収納しオープンカバーが閉じられた状態で示す縦断側面図である。
【図２】オープンカバーが開けられた状態のポータブルプリンタを示す縦断側面図である。
【図３】外巻きラベル用紙を収納しオープンカバーが閉じられた状態のポータブルプリンタを示す縦断側面図である。
【図４】本体部へのオープンカバーの取付構造を示す側面図である。
【図５】プラテンの駆動系を示し、（ａ）はオープンカバーが開けられ状態におけるプラテンの駆動系を示す縦断側面図、（ｂ）はオープンカバーが閉じられた状態におけるプラテンの駆動系を示す縦断側面図である。
【図６】本体部への剥離ローラモジュールの取付構造をその一部を拡大して示す斜視図である。
【図７】剥離ローラモジュールが取り外されてオープンカバーが閉じられた状態のポータブルプリンタを示す縦断側面図である。
【図８】ポータブルプリンタの各部の制御系の接続を示すブロック図である。
【図９】本体部へのオープンカバーの取付構造の別の一例を示す底面図である。
【図１０】従来のポータブルプリンタの一部を示す縦断側面図である。
【発明を実施するための形態】
【００１２】
本発明の一実施の形態を図１ないし図９に基づいて説明する。本実施の形態は、携帯型のラベルプリンタであるポータブルプリンタへの適用例である。
【００１３】
ここで、図１は本実施の形態のポータブルプリンタであって内巻きラベル用紙を収納しオープンカバーが閉じられた状態のポータブルプリンタを示す縦断側面図、図２はオープンカバーが開けられた状態のポータブルプリンタを示す縦断側面図、図３は外巻きラベル用紙を収納しオープンカバーが閉じられた状態のポータブルプリンタを示す縦断側面図、図４は本体部へのオープンカバーの取付構造を示す側面図である。
【００１４】
図１ないし図３に示すように、ポータブルプリンタ１は、本体ハウジング２を備えており、この本体ハウジング２の内部に、台紙３ａに多数のラベル３ｂが貼付されたロール状のラベル用紙３を収納している。ここで、ラベル用紙３としては、内巻きラベル用紙３ｃ（図１参照）と、外巻きラベル用紙３ｄ（図３参照）と、のうちのどちらでも使用可能とされている。内巻きラベル用紙３ｃは、ラベル３ｂの印字面が内側を向くようにロール状に巻かれたものであり、外巻きラベル用紙３ｄは、ラベル３ｂの印字面が外側に向くようにロール状に巻かれたものである。
【００１５】
図１ないし図４に示すように、ポータブルプリンタ１の本体ハウジング２は、第一のハウジングである本体部４と、本体部４の正面側と下面側とを開閉する第二のハウジングであるオープンカバー５とにより構成されている。
【００１６】
オープンカバー５は、本体部４の下端背面側に設けられている。このオープンカバー５は、本体部４に対して回動自在である。また、オープンカバー５は、本体部４に対して着脱自在である。詳しくは、図４に示すように、本体部４の両側面の下端背面側には、異方性断面の突起４ａが形成されている。一方、オープンカバー５の一端側の両側面部には、突起４ａが入り込んで引っ掛かる溝５ａが形成されている。この溝５ａの入口は、突起４ａの最小幅よりも少しだけ狭く形成され、突起４ａの出入りの際に突起４ａに押されて広がる。溝５ａの奥は、突起４ａの径よりも若干大きく形成されており、これによりオープンカバー５が本体部４に回動自在に保持される。
【００１７】
また、特に図示しないが、オープンカバー５には、その両側部から突出して本体部４の両側部の内側に係止される係止爪と、これらの係止爪を内側に移動させて本体部４との係止状態を解除させるための操作摘みとが設けられている。係止爪が本体部４に係止されることにより、オープンカバー５が本体部４に位置固定される。
【００１８】
そして、本体ハウジング２の下部には、本体部４に対してオープンカバー５が閉じられた状態で、ロール状のラベル用紙３を転動自在に収納する用紙収納部６が設けられている。この用紙収納部６は、オープンカバー５の開閉により、開放及び閉塞がなされる。
【００１９】
このような本体部４には、用紙収納部６の背面部から上へ向けて、かつ、オープンカバー５側に向けて延出する用紙ガイド７が設けられている。この本体部４の用紙ガイド７のオープンカバー５に近い部分には、印字ヘッドであるサーマルヘッド８が設けられている。このサーマルヘッド８は、図示しないバネにより後述するプラテン９に向けて付勢されている。
【００２０】
オープンカバー５の内面（用紙収納部６側）には、回転自在のプラテン９と、このプラテン９の上側に位置させてプラテン９の長手方向に沿うラベル剥離体１０とが配設されている。プラテン９は、オープンカバー５が閉じられた状態でサーマルヘッド８に当接する。ここで、プラテン９とサーマルヘッド８とにより印字部１１が形成されている。ラベル剥離体１０は、サーマルヘッド８よりも用紙搬送方向下流側に配置されている。
【００２１】
図５は、プラテン９の駆動系を示し、（ａ）はオープンカバー５が開けられ状態におけるプラテン９の駆動系を示す縦断側面図、（ｂ）はオープンカバー５が閉じられた状態におけるプラテン９の駆動系を示す縦断側面図である。
【００２２】
図５に示すように、本体部４には、プラテン９を回転駆動するためのモータ１２が設けられている。このモータ１２の駆動力のプラテン９への伝達機構１３として、本体部４側には、モータ１２に連結されたギヤ１４が設けられ、オープンカバー５側には、プラテン９の一端に固定されたギヤ１５が設けられている。そして、本体部４に対してオープンカバー５が閉じられた状態（図５（ｂ）参照）で、それらのギヤ１４，１５が噛み合い、これにより、モータ１２の駆動力がプラテン９へ伝達される。このように伝達機構１３を介してのモータ１２の駆動力によりプラテン９が回転駆動されることにより、プラテン９とサーマルヘッド８とで挟持したラベル用紙３が搬送される。これにより、用紙収納部６に収納されているロール部分のラベル用紙３が引き出される。
【００２３】
ここで、このようなサーマルヘッド８と、用紙収納部６との位置関係について説明する。図１に示すように、用紙収納部６は、用紙収納部６に収納されている最大巻き径のラベル用紙３がプラテンの鉛直投影面Ａの正面側（図１中の縦線Ｂの右側）に突出しないように形成されている。
【００２４】
このような構造により、印字部１１までのラベル用紙３の経路として、印字経路１６が形成されている。印字経路１６は、内巻きラベル用紙経路１７（図１参照）と、外巻きラベル用紙経路１８（図３参照）とから構成されている。内巻きラベル用紙経路１７は、用紙収納部６に収納された内巻きラベル用紙３ｃのロール部の引き出し点から印字部１１へ至る略直線状の経路であり、外巻きラベル用紙経路１８は、用紙収納部６に収納された外巻きラベル用紙３ｄの引き出し点から用紙ガイド７に沿って印字部１１へ至る曲線状の経路である。
【００２５】
また、図１ないし図３に示すように本体部４には、プラテン９よりも用紙搬送方向下流側に位置させて剥離ローラモジュール１９が設けられている。この剥離ローラモジュール１９は、図示しないスプリングの付勢力によりプラテン９に圧接される剥離ローラ２０と、この剥離ローラ２０を回転自在に支持している支持部材２１とを主体として構成されている。ここで、前述したラベル剥離体１０は、この剥離ローラ２０とサーマルヘッド８との間に位置する。このような剥離ローラモジュール１９と、ラベル剥離体１０とにより剥離部１９ａが構成されている。
【００２６】
この剥離ローラモジュール１９は、本体部４に対して着脱自在とされている。ここで、図６は本体部４への剥離ローラモジュール１９の取付構造をその一部を拡大して示す斜視図である。本体部４には、支持部材２１の両端部が嵌る溝４ｂが形成されている。本体部４の溝４ｂを形成している部分は、弾性を有している。本体部４の溝４ｂの上下面を形成している上下面４ｃ，４ｄのそれぞれの中央部には、係止孔４ｅが形成されている。一方、支持部材２１の両端部には、係止爪２１ａが形成されている。これらの係止爪２１ａは、本体部４の係止孔４ｅに係止される。詳しくは、剥離ローラモジュール１９の支持部材２１の両端部が本体部４の溝４ｂに差し込まれた場合は、溝４ｂが係止爪２１ａによって押し広げられ、最終的には係止爪２１ａが係止孔４ｅに係止される。逆に剥離ローラモジュール１９が本体部４の溝４ｂから取り外される場合にも、溝４ｂが係止爪２１ａに押し広げられ、最終的には係止爪２１ａが係止孔４ｅから外れる。ここで、図７に、剥離ローラモジュール１９が取り外されてオープンカバー５が閉じられた状態のポータブルプリンタ１を示す。
【００２７】
また、図６に示すように、本体部４の溝４ｂの側面部には、センサであるプッシュスイッチ２２が設けられている。このプッシュスイッチ２２は、溝４ｂに差し込まれた剥離ローラモジュール１９の支持部材２１に押されることにより、検出信号を出力する。
【００２８】
図１及び図３に示すように、本体部４には、剥離ローラモジュール１９の上端との間でラベル３ｂを排出させるラベル排出口２３が形成されている。なお、剥離ローラモジュール１９が取り外されている場合（図７参照）には、ラベル排出口２３は、本体部４とオープンカバー５の上端との間に形成されることとなる。このときのラベル排出口２３は、剥離ローラモジュール１９が取り付けられているときのラベル排出口よりも広くなっている。また、オープンカバー５には、剥離ローラモジュール１９の下端との間で台紙３ａを排出させる台紙排出口２４が形成されている。
【００２９】
そして、このような構造により、印字部１１以降のラベル用紙３の経路として、ラベル排出用経路２５と、台紙用経路２６とが形成されている。ラベル排出用経路２５は、印字部１１からラベル排出口２３へ至る経路である。台紙用経路２６は、印字部１１から、ラベル剥離体１０、プラテン９・剥離ローラ２０間を経て、台紙排出口２４に至る経路である。ラベル排出用経路２５は、印字後のラベル３ｂの印字面側が上を向くようにラベル用紙３又はラベル３ｂを本体ハウジング２の背面から遠ざかるように斜め上方へ案内する。ここで、印字経路１６とラベル排出用経路２５とから構成される経路、つまり、用紙収納部６からラベル排出口２３へ至る経路はラベル印字排出経路２７とされている。このようなラベル印字排出経路２７は、オープンカバー５が本体部４に対して閉じられた状態でオープンカバー５と本体部４との間に形成されることとなる。
【００３０】
本体部４には、電源であるバッテリ２８（図８参照）が着脱自在に設けられている。
【００３１】
また、図１に示すように、本体部４の背面には、使用者の腰のあたりに密着される装着面２９が形成され、この装着面２９には、使用者の衣服に対して滑りを少なくするための滑り止め３０と、この滑り止め３０に対向して使用者のベルトに引っ掛けられる取付部であるベルト掛け３１とが形成されている。
【００３２】
さらに、本体部４の上面部には、電源スイッチ３２（図８参照）やフィードスイッチ３３（図８参照）などから構成される図示しない操作部が設けられている。
【００３３】
次に、ポータブルプリンタ１の各部の制御系の接続について図８に基づいて説明する。ポータブルプリンタ１は、各部を集中的に制御するＣＰＵ（Central Processing Unit）４１を備えており、このＣＰＵ４１には、ＣＰＵ４１が実行するプログラム等の固定データが書き込まれているＲＯＭ（Read Only Memory）４２と、ワークデータ等の可変データを更新自在に書き込むＲＡＭ（Random Access Memory）４３とがバスライン４４を介して接続されている。そして、サーマルヘッド８を駆動するサーマルヘッドドライバ４５、プラテン９が連結されたモータ１２を駆動するモータドライバ４６、プッシュスイッチ２２と電源スイッチ３２とフィードスイッチ３３とが接続されたスイッチ回路４７、各種センサ４８が接続されたセンサ回路４９、ハンディーターミナル等のホスト機とのデータ通信を司る赤外線インタフェース５０等がバスライン４４を介してＣＰＵ４１に接続されている。なお、インタフェースは図ではＩ／Ｆと記す。
【００３４】
このような構成において、ラベル剥離発行モードで使用する場合について説明する。まず、図２に示すように、剥離ローラモジュール１９を本体部４から取り外し、操作摘みを操作して本体部４とオープンカバー５との係止状態を解除し、オープンカバー５を開けて、用紙収納部６を開放し、ロール状のラベル用紙３を用紙収納部６に収納する。そして、オープンカバー５が開放されている広い空間において、ラベル用紙３の先端をサーマルヘッド８を覆う位置まで引き出し、オープンカバー５を閉止し、ラベル用紙３を剥離ローラ２０とプラテン９とで挟持させるように剥離ローラモジュール１９を本体部４に取り付ける。これにより、ラベル用紙３の先端側が、ラベル剥離体１０により鋭角に曲げられつつ剥離ローラ２０とプラテン９との間を通り台紙排出口２４から引き出されるように台紙用経路２６にセットされる。このような作業は、本体部４を使用者の腰に装着した状態でなされ、しかも、ラベル用紙３をプラテン９とサーマルヘッド８との間及びプラテン９と剥離ローラ２０との間の狭い隙間に通すような作業ではないので、ラベル用紙３のセットは極めて容易になされる。
【００３５】
このようなラベル用紙３のセット状態で、電源スイッチ３２をオンさせることにより、プッシュスイッチ２２が剥離ローラモジュール１９の取り付けを検出し、検出信号をＣＰＵ４１に入力する。ＣＰＵ４１は、検出信号の入力を受けて、動作モードをラベル剥離発行モードに設定する。ここに、プッシュスイッチ２２の検出結果に応じて、動作モードをラベル剥離発行モード又はラベル連続発行モードに設定するモード設定手段の機能の一部が実行される。そして、ＣＰＵ４１がラベル剥離発行モードに応じて各部を制御することにより、ハンディーターミナル等のホスト機（図示せず）から入力された印字データに基づいたラベル３ｂへの印字動作がなされる。詳しくは、サーマルヘッド８がバッテリ２８からの供給電圧により印字出力する。そして、１ライン印字する度に、バッテリ２８を駆動源とするモータ１２によりプラテン９を１ピッチずつ駆動し、ラベル用紙３を搬送させる。この場合、台紙３ａがラベル剥離体１０により鋭角に折曲された状態で台紙用経路２６を搬送されるため、ラベル３ｂはその腰の強さによりラベル剥離体１０部分を直進して台紙３ａから剥離されてラベル排出口２３から発行される（図１及び図３参照）。このとき、ラベル３ｂは印字面側が上に向いた状態で発行される。この場合、剥離されたラベル３ｂが落下しないようにそのラベル３ｂの後端部が僅かに台紙３ａ上に残る状態となるようにラベル用紙３の搬送が制御される。
【００３６】
次に、ラベル連続発行モードで使用する場合について説明する。この場合には、図２に示すように、剥離ローラモジュール１９を本体部４から取り外し、オープンカバー５を開けて（手順は前述した場合と同様）、用紙収納部６を開放し、ロール状のラベル用紙３を用紙収納部６に収納する。そして、オープンカバー５が開放されている広い空間において、ラベル用紙３の先端をサーマルヘッド８より若干突出する位置まで引き出し、図７に示すようにオープンカバー５を閉止する。これにより、ラベル用紙３の先端部分は、ラベル剥離体１０によって曲げられることがなく、印字部１１からラベル排出口２３側に直接引き出されるようにラベル排出用経路２５にセットされる。
【００３７】
このようなラベル用紙３のセット状態で、電源スイッチ３２をオンさせる。この場合には、プッシュスイッチ２２は、剥離ローラモジュール１９の取り付けを検出しないので、検出信号を出力しない。ＣＰＵ４１は、検出信号の入力がないので、動作モードをラベル連続発行モードに設定する。ここに、プッシュスイッチ２２の検出結果に応じて、動作モードをラベル剥離発行モード又はラベル連続発行モードに設定するモード設定手段の機能の一部が実行される。そして、ＣＰＵ４１がラベル連続発行モードに応じて各部を制御することにより、ハンディーターミナル等のホスト機（図示せず）から入力された印字データに基づいたラベル３ｂへの印字動作がなされる。詳しくは、サーマルヘッド８がバッテリ２８からの供給電圧により印字出力する。そして、１ライン印字する度に、バッテリ２８を駆動源とするモータ１２によりプラテン９を１ピッチずつ駆動し、ラベル用紙３を搬送させる。このような動作を設定されたラベル発行枚数分、連続的に行なう。即ち、先行するラベル３ｂへの印字が終了すると、次のラベル３ｂの先頭が印字部１１による印字位置となるようにラベル用紙３の送りが制御される。印字済みのラベル用紙３はラベル排出口２３へ進む。このような印字動作を設定されたラベル発行枚数分行なう。これにより、設定された枚数分の印字済みのラベル３ｂが台紙３ａに貼付されたままのラベル用紙３がラベル排出口２３から発行されることになる。このとき、ラベル３ｂは印字面側が上に向いた状態で発行される。
【００３８】
なお、本実施の形態は、ラベルプリンタとして、本体ハウジング２が人体に装着される携帯用のポータブルプリンタ１への適用例で説明したが、ラベルプリンタとしては、このようなのものに限らず、例えば、使用者が上からラベル３ｂの印字面を見ることが可能な机上等に設置されて使用される卓上用のポータブルプリンタであってもよい。
【００３９】
なお、本体部４へのオープンカバー５の取り付けは、上述した構造に限られるものでない。ここで、本体部４へのオープンカバー５の取り付けの変形例を図９に基づいて説明する。この変形例では、本体部６１の下端部に、一対の弾性を有した取付板６２がオープンカバー６３の下端部が入る間隔をあけられて設けられている。この取付板６２の内側には、突起６２ａが形成されている。一方、オープンカバー６３の下端両側には、突起６２ａが嵌る孔６４が形成されている。そして、オープンカバー６３が取付板６２へ取り付けられる際には、オープンカバー６３によって突起６２ａが押されて取付板６２が両側に広がり、最終的に、孔６４が突起６２ａに嵌り、オープンカバー６３が本体部６１に取り付けられる。オープンカバー６３が本体部６１から取り外される際には、オープンカバー６３によって突起６２ａが押されて取付板６２が両側に広がり、最終的に、孔６４が突起６４ａから外れ、オープンカバー６３が本体部６１から取り外される。
【００４０】
以上説明したように、本実施の形態では、ラベル３ｂの印字面が上側となってラベル３ｂが発行されるので、ポータブルプリンタ１を腰に装着した使用者は、下を見るだけで、ラベル３ｂにされた印字内容を確認することができる。
【００４１】
また、用紙収納部６に収納されている最大巻き径のラベル用紙３がプラテン９の鉛直投影面Ａの正面側に突出しないように用紙収納部６が形成されているので、ラベル用紙３が外巻きラベル用紙３ｄであっても内巻きラベル用紙３ｃであっても、それらのラベル用紙３を案内する用紙経路であるラベル印字排出経路２７の角度変化が緩やかになる。これにより、ラベル用紙３が外巻きラベル用紙３ｄであっても内巻きラベル用紙３ｃであっても、ラベル印字排出経路２７中でラベル３ｂが台紙３ａから剥離することが防止され、外巻きラベル用紙３ｄと内巻きラベル用紙３ｃとの両方を使用することができる。
【００４２】
また、本体部４の下端部で、オープンカバー５が本体部４に回動自在に取り付けられているので、オープンカバー５を途中まで開けた場合には、用紙収納部６の上方が開放され用紙収納部６の下部は開放されないので、この状態でラベル用紙３を用紙収納部６に収納することにより、ラベル用紙３がポータブルプリンタ１の外へ落下することがないので、ラベル用紙３の収納作業を容易に行なうことができる。
【００４３】
このように、本実施の形態においては、ラベル３ｂに印字がされた後の台紙３ａをプラテン９とで挟持して搬送する剥離ローラ２０を回転自在に有し、本体ハウジング２に着脱自在に設けられた剥離ローラモジュール１９と、サーマルヘッド８と剥離ローラ２０との間において本体ハウジング２に設けられ、台紙３ａからラベル３ｂを剥離させるラベル剥離体１０と、を備えることにより、を備えるプラテン９と剥離ローラ２０との間への台紙３ａのセットを容易化することができる。
【００４４】
また、ラベル連続発行モードの際には、剥離ローラモジュール１９を本体部４から取り外すことにより、ラベル排出口２３が大きく開口するので、発行されるラベル用紙３の取り出しなどを容易にすることができる。
【００４５】
また、本実施の形態においては、本体ハウジング２に対する剥離ローラモジュール１９の取り付けの有無を検出するセンサであるプッシュスイッチ２２と、プッシュスイッチ２２の検出結果に応じて、動作モードをラベル剥離発行モード又はラベル連続発行モードに設定するモード設定手段と、を備えることにより、使用者が意識的に印字時の動作モードの設定を行なわなくても、剥離ローラモジュール１９を要・不要に応じて着脱することによって、ラベル発行形態に応じた動作モードが自動的に設定されるので、動作モードの変更を忘れることによる印字不良などの不都合を防止することができる。
【００４６】
また、本実施の形態においては、本体ハウジング２を構成し、印字ヘッド８が取り付けられた第一のハウジングである本体部４と、本体ハウジング２を構成し、プラテン９が取り付けられ、本体部４に対して開閉自在に取り付けられた第二のハウジングであるオープンカバー５と、本体部４に設けられた電源であるバッテリ２８と、本体部４に設けられバッテリ２８により供給される電力によって動作するモータ１２と、オープンカバー５が本体部４に対して閉じられた状態で、モータ１２の駆動力をプラテン９に伝達する伝達機構１３と、を備えることにより、オープンカバー５側には電気系の部品が存在しないので、オープンカバー５へハーネスを設ける必要がない。ここで、例えば、オープンカバー５に電気系部品が存在している場合には、オープンカバー５に設けたハーネスを保護するためのハーネスカバーが必要であるが、本実施の形態ではそのようなハーネスカバーが必要ないので、オープンカバー５の構造を簡略化することができる。
【００４７】
また、本実施の形態においては、第二のハウジングであるオープンカバー５は、第一のハウジングである本体部４に対して着脱自在に設けられていることにより、ロール状のラベル用紙３の外径に応じた大きさの用紙収納部６を形成するオープンカバー５を複数用意することによって、オープンカバー５をラベル用紙３の外径に応じて適切な大きさのものに交換することができる。また、オープンカバー５には、電気系部品が存在しないので、電気系部品へのハーネスの着脱作業が発生することがないので、オープンカバー５の着脱が簡単にできる。
【符号の説明】
【００４８】
１…ポータブルプリンタ（ラベルプリンタ）、２…本体ハウジング、３ａ…台紙、３ｂ…ラベル、３…ラベル用紙、４…本体部（第一のハウジング）、５…オープンカバー（第二のハウジング）、６…用紙収納部、８…サーマルヘッド（印字ヘッド）、９…プラテン、１０…ラベル剥離体、１２…モータ、１３…伝達機構、１９…剥離ローラモジュール、２０…剥離ローラ、２２…プッシュスイッチ（センサ）、２８…バッテリ（電源）、６１…本体部（第一のハウジング）、６３…オープンカバー（第二のハウジング）、Ａ…鉛直投影面
【図１】
2010018037.tif 000003
【図２】
2010018037.tif 000004
【図３】
2010018037.tif 000005
【図４】
2010018037.tif 000006
【図５】
2010018037.tif 000007
【図６】
2010018037.tif 000008
【図７】
2010018037.tif 000009
【図８】
2010018037.tif 000010
【図９】
2010018037.tif 000011
【図１０】
2010018037.tif 000012